(57)【要約】【課題】高電圧発生装置の可動部材をケース上面の内側に位置させることで人為的に操作しない限り着火の虞がなく、バッグのチャームとして携帯することもできる安全な喫煙用ライターを提供する。【解決手段】ライターのケース上面に火口と着火操作穴とを穿設する。着火操作穴の直下のケース内に高圧電気発生装置を設置する。着火操作穴の内側のケース内に高圧電気発生装置の摺動自在な可動部材をレバー作動部材と共に位置させる。着火操作穴からケース上面を通してケース内に挿入でき、かつ可動部材をレバー作動部材と共に押下げて、高圧電気発生装置を着火作動する着火操作体をライターと別体に備える。【選択図】図１
0003117798.tif 000002
【実用新案登録請求の範囲】
【請求項１】
上面及び前後面と左右側面とを一体形成し、該上面に火口と着火操作穴とを穿設した任意形態のケースと、
ノズルを有する燃焼装置のバルブ開閉レバーをタンク上面に備えた燃料タンクと、
該燃料タンクと共にケース内に並列に収容して上記着火操作穴の直下に設置し、該着火操作穴の内側のケース内に固定部材上部の摺動自在な可動部材を位置させた高圧電気発生装置と、
上記可動部材の上端に嵌着したレバー作動部材とからなるライターと、
上記ライターとは別体で、上記着火操作穴からケース上面を通してケース内に挿入され、可動部材をレバー作動部材と共に押下げて、高圧電気発生装置を着火作動する着火操作体とからなることを特徴とする喫煙用ライター。
【請求項２】
上記着火操作体は、上記ライターと共に携帯できるように、ケース側面に繋ぎ止められてなることを特徴とする請求項１記載の喫煙用ライター。
【請求項３】
上記ライターは、バッグの持ち手に吊下げてチャームとして携帯できるように、上記着火操作体を繋ぎ止めたケース側面の止め具に、装飾を施した下げ紐を環状に取付けて有することを特徴とする請求項１記載の喫煙用ライター。
【考案の詳細な説明】
【技術分野】
【０００１】
この考案は、ライターのケース上面をカバーするキャップを不要とする放電着火式の喫煙用ライターに関するものである。
【背景技術】
【０００２】
ノズルから噴出する液化ガスを放電火花により着火する従来の多くの喫煙用ライターは、火口を穿設したケース上面の片側に切欠部を設け、その切欠部にケース内に設置した高圧電気発生装置の可動部材を位置させ、その可動部材にレバー操作部材と切欠部の覆いとを兼ねる指掛け部材を嵌着して操作部となし、その操作部を指先により押下して着火を行う構造からなる。
【特許文献１】特許第２５４５０１４号公報
【考案の開示】
【考案が解決しようとする課題】
【０００３】
上記引用文献１の図５に記載の従来のライターでは、操作部を指先により直接押下げできることから、ポケットやバッグ等に入れて携帯すると、携帯時の振動により一緒に携帯した他物が動いて操作部を押し下げ、ライターが自然着火する危険がある。そこでロック手段を設けたり、図１に記載されているように、ライター上面をキャップによりカバーしたりて、人為的な点火操作以外にライターが着火作動しないようにしている。
【０００４】
ライターに可動部材のロック手段を設けると、点火操作前にロック手段を解除し、喫煙後にロックする手数を要するので、喫煙者によって好ましてものではない。またキャップによりライター上面をカバーすると、キュップによりライターの高さと重量が増すので、ポケットに入れて携帯し難く、これを解決するためにライターを小型化して携帯しやすくるには課題を有する。
【０００５】
この考案は、上記従来のライターの課題を解決するために考えられたものであって、その目的は、自然着火防止のロック手段を要せず、またケース上面をカバーするキャップを要することもなく、人為的に操作しない限り着火の虞がない小型で携帯し易い喫煙用ライターを提供することにある。またライターを装身具として携帯することができる新たな喫煙用ライターを提供するものである。
【課題を解決するための手段】
【０００６】
上記目的によるこの考案は、上面及び前後面と左右側面とを一体形成し、該上面に火口と着火操作穴とを穿設した任意形態のケースと、ノズルを有する燃焼装置のバルブ開閉レバーをタンク上面に備えた燃料タンクと、該燃料タンクと共にケース内に並列に収容して上記着火操作穴の直下に設置し、該着火操作穴の内側のケース内に固定部材上部の摺動自在な可動部材を位置させた高圧電気発生装置と、上記可動部材の上端に嵌着したレバー作動部材とからなるライターと、上記ライターとは別体で、上記着火操作穴からケース上面を通してケース内に挿入され、可動部材をレバー作動部材と共に押下げて、高圧電気発生装置を着火作動する着火操作体とからなり、また着火操作体は、上記ライターと共に携帯できるように、上記ケース側面に繋ぎ止められてなる、というものである。
【０００７】
また上記ライターは、バックの持ち手に吊下げてチャームとして携帯できるように、上記着火操作体を繋ぎ止めたケース側面の止め具に、装飾を施した下げ紐を環状に取付けて有する、というものである。
【考案の効果】
【０００８】
上記構成では、高圧電気発生装置の可動部材が、上部に嵌着したレバー操作部材と共にケース上面の着火操作穴の内側のケース内に位置して、ケース上面によりカバーされた状態にあることから、携帯時にレバー操作部材と共に可動部材が他物により押下されることがなく、指先では上面が障害となってレバー操作部材に触れることができないので、携帯時の誤作動も生じないことなどから、ケース上面をカバーするキャップがなくとも、安全に携帯することができる。またケースの形態も特定形状に制限されず、小型化も容易に行えるので、バッグの表に吊下げて、ライターをバッグのチャームとして携帯することも可能となる。
【考案を実施するための最良の形態】
【０００９】
図中１０はライター１のケースで、上面１１及び前後面１２，１３と左右側面１４，１５とを一体形成して隅部を円形に隅取りし、下面の開口を底面板１６により閉塞した偏平な函状体からなる。このケース上面１１の左側には円形の火口１７が穿設してあり、右側にはライター１とは別体で角柱状の着火操作体２の着火操作穴１８が穿設してある。この着火操作穴１８は着火操作体２の横断面と同一形状の四辺形からなる。また火口下側のケース前後面１２，１３の上部とケース左側面１４の上部とに空気孔１９が穿設してある。
【００１０】
上記ケース１０の内部には、液化ガスの燃料タンク３と高圧電気発生装置４が並列に底面板１６の内側の座板１６ａに載置して設けてある。燃料タンク３の内部には燃料注入装置３１と、上記火口１７の直下に位置するノズル３２ａを上部に備えた燃焼装置３２とが、燃料注入装置３１はタンク底面に、燃焼装置３２はタンク底面と上面とにそれぞれ気密に固定して設けてある。
【００１１】
また燃料タンク３は、タンク上面に燃焼装置内のバルブを開閉するレバー５と電極台６とを有する。開閉レバー５は昇降自在な上記ノズル３２ａの基端部に先端を嵌合して、二股に形成した後端部を電極台６の前後面に傾斜位置させて燃料タンク上に設けられている。また電極台６はケース上面１１と接する高さからなり、この電極台６のケース上面１１への当接により、燃料タンク３がケース上面１１とケース底面板１６とにより支持しされて上下動しないようにしてある。
【００１２】
上記高圧電気発生装置４は通常構造のもので、図では内部構造を省略するが、圧電素子を内装し側部にリード線４３を導出した直方形の固定部材４１と、その固定部材４１の上部に摺動自在に嵌挿した中空で直方形の可動部材４２と、その可動部材４２の内部に付勢用のコイルバネと共に収容して圧電素子上に位置させた衝撃用のハンマーとからなる。
【００１３】
上記可動部材４２の上端部にはレバー操作部材７が嵌着してある。このレバー操作部材７は、上記着火操作体２の下端部が収まる凹所７１を上面に有する嵌着部７２と、その嵌着部７２を上部隅内に片寄せて一体形成した前側壁及び後側壁と外側壁とからなり、その前後側壁にレバー操作片７３が電極台６の前後面の上記開閉レバー５の上まで長く延長形成してある。
【００１４】
上記レバー操作部材７を可動部材４２の上端部に嵌着した高圧電気発生装置４は、リード線４３の先端部を電極台６に挿通して、上記着火操作穴１８の直下のケース内に片寄せて設けられており、これによりレバー操作部材７の嵌着部７２が着火操作穴１７の直下に位置して、下端部を着火操作穴１８からケース内の嵌着部７２の凹所７１に挿入した着火操作体２により、可動部材４２をレバー操作部材７と共に押下げることができるようにしてある。
【００１５】
上記着火操作体２は喫煙時に使用できるにように、ケース右側面１５の下部に設けたＵ状の止め具８に、飾り紐やチェーン９などにより繋ぎ止めて、ライター１と一緒にポケットやバッグ等に入れて携帯できるようにしてある。
【００１６】
上記構成のライター１では、ケース１０内の高圧電気発生装置４を、ケース上面１１に穿設した着火操作体２の着火操作穴１８の直下に設置して、可動部材１２を上部に嵌着したレバー操作部材７と共に着火操作穴１８の内側のケース内に位置させたことから、着火操作体２を着火操作穴１８に挿入して可動部材１２をレバー操作部材７と共に押下げることができるが、指先ではケース上面１１が障害となってレバー操作部材７に直接触れることができず、可動部材１２を押下げて着火を行うことはできない。
【００１７】
押下げによる着火作動は従来と同様で、着火操作体２を着火操作穴１８に挿入して押下すると、先ずレバー操作部材７が開閉レバー５の後端を押圧してノズル３２ａを押上げ、これにより燃焼装置３２内の図示しないバルブが開放されて液化ガスが噴出する。この開放作動に連続して高圧電気発生装置４では、通常のごとく、コイルバネの圧縮とハンマーによる圧電素子の衝撃とが行われ、高圧電気が発生してノズル３２ａとリード線４３の先端の電極４３′との間に放電火花が生ずる。この放電火花によりノズル３２ａから噴出している液化ガスが燃焼して火炎となり、火口１７から立ち上がる（図２参照）。
【００１８】
また着火操作体２を着火操作穴１８から抜き出すと、それに伴い高圧電気発生装置４内の圧縮された付勢用のコイルバネが元に戻り、可動部材４２と共にレバー操作部材７を元の位置まで押上げて戻す。これにより開閉レバー５の押圧が解除されてバルブが閉じ、火口１７の火炎が消える。
【００１９】
このようにケース１０内の高圧電気発生装置４を、ケース上面１１に穿設した着火操作穴１８の直下に設置し、その着火操作穴１８を通して挿入した部材のみによりレバー操作部材７と高圧電気発生装置４の可動部材４２とを押下げ作動ができるようにした構造では、レバー操作部材７と可動部材４２とが、ケース外に露出していないので、ポケットやバッグ等に入れて携帯しても、歩行或いは移送時の振動により可動部材４２が一緒に携帯した他物に押されて作動するようなことがない。したがって、ケース上面をカバーするキャップがなくとも、またロック手段が設けられていなくとも、携帯時における高圧電気発生装置４の不測の着火作動が防止されるので安全性を有するライターとなる。
【００２０】
またライター１の外形はケース１０のみにより形成されるので、小型化が容易に行え、携帯中に他物と接触して着火作動することもないので、図４に示すように、上記着火操作体２をチェーン９により繋ぎ止めたケース側面の止め具８に、装飾を施した任意形状の下げ紐２０を環状に取付け、その下げ紐２０をバッグの持ち手（図は省略）に通してライター１を吊下げ、該ライター１をバッグのチャームとして携帯することも可能となる。
【００２１】
なお、上記実施形態のケースは偏平な函状体からなるが、ケースの平面形態は円形、角形、楕円形の何れでもよく、また着火操作穴の形状も着火操作体の挿入部分の断面形状（例えば円形、角形、十字形、鍵穴形、星形、ハート形等）に合わせて形成することができるので、この考案はケースの形態が図示の偏平な函状体に限定されるものではなく、また着火操作穴の形状も四辺形に限定されるものではない。
【図面の簡単な説明】
【００２２】
【図１】この考案に係わる喫煙用ライターの縦断正面図である。
【図２】同上の平断面図である。
【図３】着火時の縦断正面図である。
【図４】腕飾りとしてのライターの正面図である。
【符号の説明】
【００２３】
１    ライター
２    着火操作体
３    燃料タンク
４    高圧電気発生装置
４１  固定部材
４２  可動部材
５    開閉レバー
６    電極台
７    レバー開閉部材
７１  凹所
７２  嵌着部
８    止め具
９    チェーン
１０    ケース
１１    ケース上面
１７    火口
１８    着火操作穴
２０    下げ紐
【図１】
0003117798.tif 000003
【図２】
0003117798.tif 000004
【図３】
0003117798.tif 000005
【図４】
0003117798.tif 000006